(57)【要約】【課題】  簡単な構成で、離れた場所にある電子機器の使用状況をユーザに報知可能なコードレス電話装置を提供する。【解決手段】  子機３０は、パソコンからの電力供給を検出すると、パソコンが電源オンとなった旨の信号を親機２０へ送信し（ステップ４からステップ５の間の通知信号）、親機２０はパソコンが使用中である旨のメッセージを表示する。一方、子機３０は、パソコンからの電力供給断を検出すると、親機２０と子機３０との間が無線接続されると共に、親機２０はパソコンが使用中である旨のメッセージを消去する（ステップ７）。【選択図】  図５
2011176573.tif 000002
【特許請求の範囲】
【請求項１】
親機と、当該親機と無線接続可能な子機とからなるコードレス電話装置であり、
前記子機は電子機器と接続可能であり、前記電子機器からの電力供給を検出する電力供給検出手段と、前記親機と無線通信を行う子機無線通信手段と、を有し、
前記親機は、前記子機と無線通信を行う親機無線通信手段と、表示手段と、を有し、
前記子機は、前記電力供給検出手段が前記電子機器からの電力供給を検出すると、前記子機無線通信手段が、前記電子機器が電源オンとなったことを示す通知信号を前記親機へ送信し、
前記親機は、前記親機無線通信手段が前記通知信号を受信すると、前記表示手段が、前記電子機器が使用中或いは電源オンとなった旨のメッセージを表示することを特徴とするコードレス電話装置。
【請求項２】
請求項１に記載のコードレス電話装置であり、前記子機は、前記電力供給検出手段が前記電子機器からの電力供給の断を検出すると、前記子機無線通信手段が、前記電子機器が電源オフとなったことを示す通知信号を前記親機へ送信し、
前記親機は、前記親機無線通信手段が前記通知信号を受信すると、前記表示手段が、前記電子機器が使用中或いは電源オンとなった旨のメッセージの表示を消去することを特徴とするコードレス電話装置。
【請求項３】
請求項１に記載のコードレス電話装置であり、前記子機は、前記電力供給検出手段が前記電子機器からの電力供給の断を検出すると、前記子機無線通信手段が、前記電子機器が電源オフとなったことを示す通知信号を前記親機へ送信し、
前記親機は、前記親機無線通信手段が前記通知信号を受信すると、前記表示手段が、前記電子機器が非使用中或いは電源オフとなった旨のメッセージの表示を行うことを特徴とするコードレス電話装置。
【発明の詳細な説明】
【技術分野】
【０００１】
本発明は、親機と当該親機と無線接続可能な子機とからなるコードレス電話装置に関するものである。
【背景技術】
【０００２】
近年では、一人暮らしの老人や身体障害者の安否状況を遠隔監視するシステムに関する技術が数多く提案されており、例えば特許文献１では、家庭内に設けられた集中管理部２が、家庭用電気製品毎に設けられた製品操作状況検出部１からの信号を受信し記憶し、記憶した情報を外部に設けられている生活モニター部３へ送出することにより、生活モニター部３が受信した情報に基づいて老人等の生活状況を監視するシステムが提案されている。
【先行技術文献】
【特許文献】
【０００３】
【特許文献１】特開平１０−２４８０９３号公報
【発明の概要】
【発明が解決しようとする課題】
【０００４】
しかしながら、上記特許文献１に記載の技術では、各家庭に集中管理部が必要であり、更には集中管理部からの信号を受信する生活モニター部も必要となる。その結果、システムを構築するにあたり多大なコストを費やすこととなる。
【０００５】
また、外部から各家庭内の電化製品の操作状況を把握するためには上述した特許文献１のようなシステムが必要となるが、一般家庭内で例えば居間から子供部屋に置かれている電化製品を監視するには、このような大掛かりなシステムまで必要としない。仮にこのような監視を目的とするために特許文献１に記載のようなシステムを使用するとなると、使用しない無駄な装置までも配置することとなり、その結果ユーザに無駄な費用を強いることとなる。
【課題を解決するための手段】
【０００６】
本発明はこのような課題を解決するためのものであり、請求項１に記載の発明は、親機と、当該親機と無線接続可能な子機とからなるコードレス電話装置であり、前記子機は電子機器と接続可能であり、前記電子機器からの電力供給を検出する電力供給検出手段と、前記親機と無線通信を行う子機無線通信手段と、を有し、前記親機は、前記子機と無線通信を行う親機無線通信手段と、表示手段と、を有し、前記子機は、前記電力供給検出手段が前記電子機器からの電力供給を検出すると、前記子機無線通信手段が、前記電子機器が電源オンとなったことを示す通知信号を前記親機へ送信し、前記親機は、前記親機無線通信手段が前記通知信号を受信すると、前記表示手段が、前記電子機器が使用中或いは電源オンとなった旨のメッセージを表示することを特徴とする。
【０００７】
請求項２に記載の発明は、請求項１に記載のコードレス電話装置であり、前記子機は、前記電力供給検出手段が前記電子機器からの電力供給の断を検出すると、前記子機無線通信手段が、前記電子機器が電源オフとなったことを示す通知信号を前記親機へ送信し、前記親機は、前記親機無線通信手段が前記通知信号を受信すると、前記表示手段が、前記電子機器が使用中或いは電源オンとなった旨のメッセージの表示を消去することを特徴とする。
【０００８】
請求項３に記載の発明は、請求項１に記載のコードレス電話装置であり、前記子機は、前記電力供給検出手段が前記電子機器からの電力供給の断を検出すると、前記子機無線通信手段が、前記電子機器が電源オフとなったことを示す通知信号を前記親機へ送信し、前記親機は、前記親機無線通信手段が前記通知信号を受信すると、前記表示手段が、前記電子機器が非使用中或いは電源オフとなった旨のメッセージの表示を行うことを特徴とする。
【発明の効果】
【０００９】
本発明では、子機と接続された電子機器の電源がオンされると、子機が親機へ電子機器の電源がオンされたことを示す信号を送信し、一方、親機はその信号を受信すると電子機器が使用中或いは電源オンとなった旨のメッセージを表示するため、通常のコードレス電話装置を少し改良した構成とするだけで、他の部屋で使用している電子機器の使用状況を把握可能なシステムを提供することが可能である。
【００１０】
又、本発明では、子機と接続された電子機器の電源がオフされると、子機と親機が無線接続されると共に、親機は電子機器が非使用中或いは電源オフとなった旨のメッセージを表示するため、通常のコードレス電話装置を少し改良した構成とするだけで、他の部屋で使用している電子機器の使用状況を把握可能なシステムを提供することが可能である。
【００１１】
いずれにしても、家庭内に配置されている電子機器の使用状況或いは電源状況を離れた場所で把握するシステムを低コストで実現することが可能である。
【図面の簡単な説明】
【００１２】
【図１】本発明の実施例に係る通信装置の外観図である。
【図２】本発明の実施例に係る子機を後面方向から見た斜視図である。
【図３】本発明の実施例に係る親機のブロック図である。
【図４】本発明の実施例に係る子機のブロック図である。
【図５】本発明の実施例に係る親機と子機と間で行われる動作シーケンス図である。
【図６】本発明の実施例に係る子機のフロー図である。
【図７】本発明の実施例に係る親機のフロー図である。
【発明を実施するための形態】
【００１３】
以下、本発明を適用してなる実施例装置であるコードレス電話装置について説明する。尚、本実施例装置ではデジタルコードレス電話装置について実施しているが、アナログコードレス電話装置、或いはコードレス電話の機能を搭載したファクシミリ装置等にも同様に本発明を適用することが可能である。
【実施例】
【００１４】
本発明を適用してなる実施例装置であるコードレス電話装置１０は、図１に示すように親機２０と、当該親機２０と無線接続可能な子機３０とからなる。また、子機３０は例えば、パーソナルコンピューター（以下、パソコン４０）等の電子機器と電気的に接続可能である。
【００１５】
子機３０は図２に示すように、背面下方にＵＳＢ（Ｕｎｉｖｅｒｓａｌ  Ｓｅｒｉａｌ  Ｂｕｓ）ケーブル３１の一端が接続されている。一方、ＵＳＢケーブル３１の他端はＵＳＢコネクタ３１２が形成されており、パソコン等のＵＳＢポートを有する電子機器と接続可能である。本実施例装置の子機３０は、このＵＳＢケーブル３１を介してパソコンと接続した後に、パソコンから供給される電力により子機３０内部に配置されている二次電池（図４の電池３９１）を充電できる。
【００１６】
図３は、本発明を適用してなるコードレス電話装置１０の親機２０におけるブロック図である。
【００１７】
電話回線制御部２１は、公衆回線Ｌと接続されており、回線Ｌの極性反転の検出、公衆回線Ｌからの着信信号の検出、公衆回線ＬへのＤＴＭＦ（Ｄｕａｌ  Ｔｏｎｅ  Ｍｕｌｔｉ  Ｆｒｅｑｕｅｎｃｙ）信号やパルスダイヤル信号からなる電話番号の送出を行うものである。
【００１８】
音声信号処理部２２は、例えばＤＳＰ（Ｄｉｇｉｔａｌ  Ｓｉｇｎａｌ  Ｐｒｏｃｅｓｓｏｒ）からなり、電話回線制御部２１、制御部２４、ハンドセット２５、スピーカ２５５、マイク２５６と接続され、電話回線制御部２１を介して公衆回線Ｌから受信した音声信号をハンドセット２５、スピーカ２５５に送出する機能や、ハンドセット２５、マイク２５６から入力した音声信号を電話回線制御部２１へ送出する機能、無線部２３にて受信し復調した音声信号を入力し電話回線制御部２１へ送出する機能、電話回線制御部２１から入力した音声信号を無線部２３へ出力する機能等を有する。又、音声信号処理部２２は、制御部２４からの制御信号に基づいて、上述した音声通路の切換を行う。
【００１９】
無線部２３は、アンテナ２９と接続されており、アンテナ２９を介して子機３０から受信した信号の復調や、子機３０へ送信する信号の変調等を行う。
【００２０】
制御部２４は、親機２０内部の各回路と接続されており各回路の制御を司る。制御部２４は、後述するＲＯＭ（Ｒｅａｄ  Ｏｎｌｙ  Ｍｅｍｏｒｙ）２４２に格納されているシステムプログラムに基づいて各回路の制御を行う。
【００２１】
ＲＯＭ２４２は、制御部２４が動作するためのシステムプログラムを格納しており、ＲＡＭ（Ｒａｎｄｏｍ  Ａｃｃｅｓｓ  Ｍｅｍｏｒｙ）２４３には、電話番号と氏名が対で複数格納されている電話帳の情報や、発呼履歴や着信履歴の情報等の各種情報が格納されている。
【００２２】
ハンドセット２５は、音声信号処理部２２と接続され、スピーカ２５１とマイク２５２からなり、マイク２５２から入力された音声信号はアンプ２５４で増幅された後に音声信号処理部２２へ入力される。一方、音声信号処理部２２からの音声信号はアンプ２５３で増幅された後にスピーカ２５１から出力される。
【００２３】
表示部２６は、制御部２４と接続され、例えば液晶表示装置や有機ＥＬ（Ｅｌｅｃｔｒｏ  Ｌｕｍｉｎｅｓｃｅｎｃｅ）ディスプレイからなり、相手側の電話番号や氏名、通話時間、後述する子機３０から送出される通知信号に基づくメッセージ（例えば、「ＰＣ使用中」等）を表示する。
【００２４】
入力部２７は、制御部２４と接続され、図示せぬテンキー、通話キー、子機呼び出しキー、機能キー等を有する。
【００２５】
フック検出部２８は、制御部２４と接続され、ハンドセット２５のオンフックやオフフックを検出する。
【００２６】
次に、子機３０の回路構成について図４を用いて説明する。尚、図４は子機３０の回路構成を示すブロック図である。
【００２７】
音声信号処理部３２は、制御部３４、スピーカ３５１、マイク３５２と接続され、無線部３３から入力した音声信号をスピーカ３５１に送出する機能や、マイク３５２から入力した音声信号を無線部３３へ送信する機能等を有する。又、音声信号処理部３２は制御部３４からの制御信号に基づいて、上述した音声通路の切換を行う。
【００２８】
無線部３３は、アンテナ３８と接続されており、アンテナ３８を介して親機２０から受信した信号の復調や、親機２０へ送信する信号の変調等を行う。
【００２９】
制御部３４は、子機３０内部の各回路と接続されており各回路の制御を司る。制御部３４は、後述するＲＯＭ３７１に格納されているプログラムに基づいて各回路の制御を行う。
【００３０】
ＲＯＭ３７１は、制御部３４を駆動させる為の制御プログラムを格納しており、ＲＡＭ３７２は、例えば電話番号と氏名の対を複数格納する電話帳機能や、着信履歴のデータ等を格納する機能を有する。
【００３１】
表示部３６１は、制御部３４と接続され、例えば、ＬＣＤ（Ｌｉｑｕｉｄ  Ｃｒｙｓｔａｌ  Ｄｉｓｐｌａｙ）からなり、電話番号や相手側の氏名、通話時間等を表示する。
【００３２】
入力部３６２は、制御部３４と接続され、図示せぬテンキー、通話キー、切キー、機能キー等の各種キーを有する。
【００３３】
充電回路部３９はＵＳＢケーブル３１と接続されており、パソコン４０からの電力をＵＳＢケーブル３１を介して入力する。更に、充電回路部３９は、ＵＳＢケーブル３１からの電力を電池３９１に供給することにより、電池３９１を充電することが可能である。より具体的には、電池３９１はパソコン４０の電源がオンとなっている状態ではＵＳＢケーブル３１を介してパソコン４０からの電力により充電され、パソコン４０の電源がオフとなっている状態では、子機３０が電池３９１の電力により駆動される。尚、電池３９１は例えばリチウムイオン電池からなる。
【００３４】
次に親機２０と子機３０との間で行われる無線接続シーケンスについて以下に説明する。尚、図５は親機２０と子機３０との間で行われる無線接続のシーケンス図である。
【００３５】
まず、子機３０は、電池３９１からの電力により駆動している状態で、親機２０へ所定の周期でサーチ信号を送信する（ステップ１）。
【００３６】
親機２０は子機３０からのサーチ信号を受信すると同期要求信号を子機３０へ送信し、子機３０は親機２０からの同期要求信号を受信すると同期要求応答信号を親機２０へ送信する（ステップ２）。
【００３７】
このステップ１とステップ２のやりとりが終了すると、親機２０と子機３０との間で同期が確立される（ステップ３）。又、親機２０と子機３０との間で同期がとれるまでステップ１〜３は繰り返し実行される。仮に同期がとれなくなると、子機３０の表示部３６１には「圏外」と表示される。
【００３８】
続いてパソコン４０が起動（電源オン）されると、パソコン４０からＵＳＢケーブル３１を介して子機３０へ電力が供給され、子機３０の充電回路部３９は充電を検出する。この検出に応じて子機３０は通知信号（電子機器が電源オンとなったことを通知する信号）を親機へ送信する（ステップ４）。
【００３９】
親機２０は、通知信号を受信すると、表示部２６に「ＰＣ使用中」（或いは、「ＰＣ電源オン」等）とメッセージを表示し、パソコン４０の電源がオンされていることを親機２０のユーザへ通知する（ステップ５）。
【００４０】
続いて、親機２０は同期要求信号を子機３０へ送信し、子機３０は親機２０からの同期要求信号を受信すると同期要求応答信号を親機２０へ送信して、所定の周期で同期を行う（ステップ６）。尚、この動作は上記ステップ２の動作と同じであり、このステップ２とステップ６の動作は周期的に行われている。
【００４１】
続いて、パソコン４０が電源オフされ、子機３０が、パソコン４０から電力を供給していないことを検出すると、子機３０は回線接続指示信号を親機２０へ送信する。親機２０は回線接続指示信号を受信すると、子機３０へ回線接続指示応答信号を送信し、親機２０を介して回線と子機３０が接続された状態となる。即ち、交換機からのダイヤルトーンが子機３０のスピーカ３５１から送出される状態となる。また、親機２０の表示部２６に表示されていた「ＰＣ使用中」（或いは、「ＰＣ電源オン」等）のメッセージは消去される。（ステップ７）。
【００４２】
尚、このとき、表示部２６の表示を、「ＰＣ非使用中」（或いは、「ＰＣ電源オフ」等）のメッセージに切り換えても良い。
【００４３】
続いて、子機３０は所定時間の間、入力部３６２へのキー操作の有無を計測する。所定時間の間、キー操作が無い場合は、子機３０は接続断信号を親機２０へ送信し、親機２０は接続断信号を受信すると、子機３０へ接続断応答信号を送信して、親機２０と子機３０との間の接続を断にすると共に親機２０は公衆回線との接続を断とする（ステップ８）。
尚、所定時間の間キー操作があると、キー操作に対応した電話番号が交換機へ送信され、発呼動作が実行されることになるが、本願発明の特徴とは直接関係がないため説明を省略する。
【００４４】
次に子機３０の動作について、図６のフロー図に基づいて説明する。尚、図６は子機３０の動作を示すフロー図である。Ｓ１１ステップにおいて、子機３０と親機２０との間で同期が確立されている状態であり、子機３０の制御部３４が入力部３６２からの指示操作や無線部３３からの着信信号検出の通知を監視している状態、所謂待受け状態となっている。尚、このＳ１１ステップは図５のステップ３に対応している。
【００４５】
Ｓ１２ステップにおいて、制御部３４は、充電回路部３９がＵＳＢケーブル３１から電力が供給されたことを検知したと判定する、即ち、ＵＳＢケーブル３１を介してパソコン４０から電力が供給（充電）された状態になったと判定すると、Ｓ１３ステップへ処理を進め、そうでなければＳ１１ステップへ処理を戻す。
【００４６】
Ｓ１３ステップにおいて、制御部３４は、無線部３３を制御することにより無線部３３から親機２０へ通知信号を送信させる。尚、Ｓ１２ステップ、Ｓ１３ステップは、図５のステップ４に対応している。
【００４７】
Ｓ１４ステップにおいて、制御部３４は、無線部３３を制御することにより無線部３３が親機２０から送信される同期要求信号を受信することを検出するとＳ１５ステップへ処理を進め、そうでなければＳ１１ステップへ処理を戻す。
【００４８】
Ｓ１５ステップにおいて、制御部３４は、無線部３３を制御することにより無線部３３から親機２０へ同期要求応答信号を送信させる。続いてＳ１６ステップにおいて、親子間で同期が確立される。尚、Ｓ１４ステップ〜Ｓ１６ステップは図５のステップ６に対応している。
【００４９】
Ｓ１７ステップにおいて、制御部３４は、パソコン４０の電源がオフされると、充電回路部３９がＵＳＢケーブル３１から電力が供給されていない状態、即ち充電されていない状態と判定するとＳ１８ステップへ処理を進める。制御部３４は、パソコン４０から電力が供給されている状態と判定すると、Ｓ１７ステップの処理を繰り返す。
【００５０】
Ｓ１８ステップにおいて、制御部３４は、無線部３３を制御することにより無線部３３から親機２０へ回線接続指示信号を送信させる。
【００５１】
Ｓ１９ステップにおいて、制御部３４は、無線部３３から、親機２０から回線接続指示応答信号を受信したことを示す信号を検出するとＳ２０ステップへ処理を進め、そうでなければＳ１１ステップへ処理を戻す。
【００５２】
Ｓ２０ステップにおいて、親機２０と子機３０間で無線接続されると共に、制御部３４は、所定時間（例えば５秒）タイマの計時を開始する。尚、このタイマは制御部３４がソフト的に計時を行うものである。
【００５３】
Ｓ２１ステップにおいて、制御部３４は、Ｓ２０ステップで計時開始した所定時間の計時が終了したと判定すると、Ｓ２３ステップへ処理を進める。
【００５４】
Ｓ２２ステップにおいて、制御部３４は、タイマのカウントをクリアして、Ｓ２３ステップへ処理を進める。
【００５５】
Ｓ２３ステップにおいて、制御部３４は、無線部３３を制御することにより親機２０へ接続断信号を送信させる。
【００５６】
Ｓ２４ステップにおいて、制御部３４は、無線部３３が親機２０からの接続断応答信号を受信したと判定すると、Ｓ２５ステップへ処理を進める。
【００５７】
Ｓ２５ステップにおいて、制御部３４は、無線部３３を制御することにより親機２０と子機３０との間の無線接続を断にする。このとき、交換機からのダイヤルトーンは子機３０のスピーカ３５１から送出されなくなる。尚、Ｓ２０ステップ〜Ｓ２５ステップは図５のステップ８に対応している。
【００５８】
次に、親機２０側の動作について、図７のフロー図を参照して説明する。図７は親機２０の動作を示すフロー図である。
【００５９】
Ｓ３１ステップにおいて、待受状態となっている。続くＳ３２ステップにおいて、制御部２４は、無線部２３が通知信号を受信したと判定するとＳ３３ステップへ処理を進め、そうでなければＳ３１ステップへ処理を戻す。
【００６０】
Ｓ３３ステップにおいて、制御部２４は、表示部２６を制御することで「ＰＣ使用中」のメッセージを表示部２６へ表示させる。この際、親機２０のユーザは親機の表示部２６を見るだけで、子機３０と接続されたパソコン４０の電源がオン状態であることを知ることが可能となる。Ｓ３３ステップは、図５のステップ５に対応している。
【００６１】
Ｓ３４ステップにおいて、制御部２４は、無線部２３を制御することにより同期要求信号を子機３０へ送信させる。
【００６２】
Ｓ３５ステップにおいて、制御部２４は、無線部２３が子機３０からの同期要求応答信号を受信したと判定すると、Ｓ３６ステップへ処理を進め、そうでなければＳ３１ステップへ処理を戻す。
【００６３】
Ｓ３６ステップにおいて、親機２０と子機３０との間で同期が確立される。尚、Ｓ３４ステップ〜Ｓ３６ステップは図５のステップ６に対応している。
【００６４】
Ｓ３７ステップにおいて、制御部２４は、無線部２３が回線接続指示信号を受信したと判定すると、Ｓ３８ステップへ処理を進める。
【００６５】
Ｓ３８ステップにおいて、制御部２４は、無線部２３を制御することにより回線接続指示応答信号を子機３０へ送信させる。
【００６６】
Ｓ３９ステップにおいて、制御部２４は、無線部２３を制御することにより親機２０と子機３０間で無線接続させる。
【００６７】
Ｓ４０ステップにおいて、制御部２４は、表示部２６を制御することで「ＰＣ使用中」のメッセージを消去する。この際、親機２０のユーザは表示部２６を見るだけで、子機３０と接続されているパソコン４０の電源がオフの状態であることを知ることが可能となる。尚、Ｓ３７ステップ〜Ｓ４０ステップは、図５のステップ７に対応している。
【００６８】
Ｓ４１ステップにおいて、制御部２４は、無線部２３が子接続断信号を受信したと判定するとＳ４２ステップへ処理を進める。
【００６９】
Ｓ４２ステップにおいて、制御部２４は、無線部２３を制御することにより無線部２３から子機３０へ接続断応答信号を送信させる。
【００７０】
Ｓ４３ステップにおいて、制御部２４は、無線部２３を制御することにより親機２０と子機３０との間の通話路を断にし、Ｓ３１ステップへ処理を戻す。
【００７１】
以上、本実施例装置の動作ついて説明したが、本実施例装置を用いれば例えば、親機２０を居間においておき、子機３０を子供部屋においておき、居間にいる親が子供部屋で子供がパソコンを使用しているかどうか遠隔監視することが可能である。具体的には、先ほどの動作説明で述べたように、パソコンが使用中であれば子機３０から親機２０へその旨を通知する信号を送信し、親機２０の表示部３６１には「ＰＣ使用中」と表示されるため、親は親機２０の表示を見ることにより、子供がパソコンを使用していることを知ることができる。一方、パソコンの電源がオフとなると、子機３０と親機３０が一時的に回線接続された状態となると共に「ＰＣ使用中」の表示が消去されるため、親は親機２０の表示を見ることにより、子供がパソコンを使用していないことを知ることが可能である。
【００７２】
尚、本実施例の形態では、子機３０の充電はパソコンを使用している最中でしか行われないが、例えばパソコン４０を頻繁に或いは毎日使用するような状況であれば、子機３０の二次電池がなくなり子機３０を用いて通話ができなくなるといったことをできるだけ回避することができる。また、子機３０の二次電池を充電する回路を別途設けても良い。
【符号の説明】
【００７３】
１０・・・コードレス電話装置
２０・・・親機
２１・・・電話回線制御部
２２・・・音声信号処理部
２３・・・無線部
２４・・・制御部
２５・・・ハンドセット
２６・・・表示部
２７・・・入力部
２８・・・フック検出部
２９・・・アンテナ
３０・・・子機
３１・・・ＵＳＢケーブル
３２・・・音声信号処理部
３３・・・無線部
３４・・・制御部
３８・・・アンテナ
３９・・・充電回路部
【図１】
2011176573.tif 000003
【図２】
2011176573.tif 000004
【図３】
2011176573.tif 000005
【図４】
2011176573.tif 000006
【図５】
2011176573.tif 000007
【図６】
2011176573.tif 000008
【図７】
2011176573.tif 000009